(57)【要約】【課題】２個所のシール部を連通して一体化した防水構造とする。【解決手段】  ハウジング本体１内の中筒１ａの先端の外面には、相手側電気コネクタのハウジングとの間を防水構造とするシール部１ｉが付設されている。このシール部１ｉは中筒１ａに設けた連通孔１ｊを介して中筒１ａの内面にも接続され、内面には端子ホルダ２との間を防水構造とするシール部１ｋが、シール部１ｉと一体化して設けられている。  相手側電気コネクタの嵌合時に、相手側電気コネクタのハウジングは中筒１ａと外筒１ｂとの間に挿入され、中筒１ａの外面に設けられたシール部１ｉにより防水構造とされる。また、中筒１ａの内面に設けられたシール部１ｋにより、端子ホルダ２はハウジング本体１との間が防水構造とされる。【選択図】図４
2020198264.tif 000002
【特許請求の範囲】
【請求項１】
中央部に設けた中筒、及び該中筒の外側に該中筒を囲むように間隙を設けて配置された外筒を備えるハウジング本体と、該ハウジング本体の後方から該ハウジング本体内に挿入する端子ホルダとを有し、前記ハウジング本体の前方から相手側電気コネクタを嵌合して接続端子同士による電気的接続を行うと共に、前記中筒の内側に前記端子ホルダが配置され、前記中筒と前記外筒との間に前記相手側電気コネクタのハウジングを挿入する電気コネクタであって、
前記中筒には前記中筒の内外両面を通ずる連通孔が設けられ、該連通孔を介して前記中筒の内外両面に、連通された第１、第２のシール部がそれぞれ形成され、
前記中筒の内面の前記第１のシール部は前記端子ホルダに、外面の前記第２のシール部は前記相手側電気コネクタのハウジングに、それぞれ接して防水構造とすることを特徴とする電気コネクタ。
【請求項２】
前記第１、第２のシール部は、２色成型により形成したことを特徴とする請求項１に記載の電気コネクタ。
【請求項３】
前記第１、第２のシール部は、それぞれ断面を波形状としたことを特徴とする請求項１に記載の電気コネクタ。
【請求項４】
前記第２のシール部は、前記第１のシール部よりも断面を大としたことを特徴とする請求項３に記載の電気コネクタ。
【発明の詳細な説明】
【技術分野】
【０００１】
本発明は、例えば自動車の電気回路に用いられ、内部の２個所のシール部を一体として形成した電気コネクタに関するものである。
【背景技術】
【０００２】
自動車等に用いる電気コネクタでは、内部に水が浸入しないように、シール部材を用いて防水構造とすることが必然である。
【０００３】
この場合に、電気コネクタのハウジング本体は接続端子を固定し、相手側電気コネクタとの嵌合に際して、例えば合成ゴム等から成る環状のシール部材を用いて防水構造としなければならない。またその他に、接続端子の１個ずつに付設したシ−ル筒により、個々の接続端子自体に防水対策を施すことは通常に行われている。
【０００４】
また、ハウジング本体自体が接続端子を固定せずに、ハウジング本体内に内在する端子ホルダなどの別体の部材内に接続端子を保持する場合には、更にはハウジング本体とこの接続端子を保持する部材との間を防水構造としなければならない。この場合には、前述の相手側電気コネクタに対するシール部材と、接続端子を保持する部材に対するシール部材との２個所に環状のシール部材が必要とされる。
【０００５】
この種の電気コネクタとして、例えば特許文献１においては、雌ハウジング内に存在する突出部の内外両面の２個所に、別個の防水シール部材がそれぞれ配置されている。
【先行技術文献】
【特許文献】
【０００６】
【特許文献１】特開２０１６−３３８９３号公報
【発明の概要】
【発明が解決しようとする課題】
【０００７】
しかし、この特許文献１では、２個の防水シール部材を必要とし、部品点数の増加や組立作業時間の増加に繋がることになる。これらのシール部材は手作業によりハウジング本体内に取り付けをすることが多く、１個でも挿入をし忘れた場合には、重大な事故の発生に繋がる虞れがある。
【０００８】
本発明の目的は、上述の課題を解消し、ハウジング本体内の２個所のシール部同士を連通して一体に成形した電気コネクタを提供することにある。
【課題を解決するための手段】
【０００９】
上記目的を達成するための本発明に係る電気コネクタは、中央部に設けた中筒、及び該中筒の外側に該中筒を囲むように間隙を設けて配置された外筒を備えるハウジング本体と、該ハウジング本体の後方から該ハウジング本体内に挿入する端子ホルダとを有し、前記ハウジング本体の前方から相手側電気コネクタを嵌合して接続端子同士による電気的接続を行うと共に、前記中筒の内側に前記端子ホルダが配置され、前記中筒と前記外筒との間に前記相手側電気コネクタのハウジングを挿入する電気コネクタであって、前記中筒には前記中筒の内外両面を通ずる連通孔が設けられ、該連通孔を介して前記中筒の内外両面に、連通された第１、第２のシール部がそれぞれ形成され、前記中筒の内面の前記第１のシール部は前記端子ホルダに、外面の前記第２のシール部は前記相手側電気コネクタのハウジングに、それぞれ接して防水構造とすることを特徴とする。
【発明の効果】
【００１０】
本発明に係る電気コネクタは、ハウジング本体内で中筒の内外両面に連通して一体化した２個所のシール部により、ハウジング本体の前方側の相手側電気コネクタとの連結状態における防水構造と、ハウジング本体に内在する端子ホルダとの連結状態における防水構造とが、一体化したシール部により実現される。
【００１１】
また、中筒の内外両面の２個所のシール部は、２色成型により、中筒を連通してシール部同士が一体に成型されるので、部品点数も少なく製作も容易であり、不時に外れることもない。
【図面の簡単な説明】
【００１２】
【図１】組み立てた状態の電気コネクタを前方から見た斜視図である。
【図２】後方から見た斜視図である。
【図３】分解した状態の電気コネクタを後方から見た斜視図である。
【図４】組み立てた状態の電気コネクタを鉛直方向に切断した縦断面図である。
【図５】水平方向に切断した縦断面図である。
【図６】接続端子の斜視図である。
【発明を実施するための形態】
【００１３】
本発明を図示の実施例に基づいて詳細に説明する。
図１は組み立てた状態の実施例の電気コネクタを前方から見た斜視図、図２は後方から見た斜視図、図３は分解した状態の電気コネクタを後方から見た斜視図である。図４は組み立てた状態の電気コネクタを鉛直方向に切断した縦断面図、図５は水平方向に切断した縦断面図である。
【００１４】
電気コネクタは、ハウジング本体１と、このハウジング本体１の後方からハウジング本体１内に挿入する端子ホルダ２と、この端子ホルダ２の前端に連結され、端子ホルダ２を挿入する方向と直交する横方向に移動自在の係止板部３と、ハウジング本体１内の係止板部３を横方向に移動させる操作部材４とから構成されている。
【００１５】
端子ホルダ２はハウジング本体１の後部から挿入して嵌合し、接続端子の後端部を保持する。また、係止板部３は端子ホルダ２の先端に横方向に移動可能に連結され、端子ホルダ２と共にハウジング本体１内に挿入され、ハウジング本体１の前部から押し込まれた操作部材４により操作される。この操作により、係止板部３は端子ホルダ２に対して、係止板部３を挿入する方向と直交する横方向に移動し、内装した接続端子の後端を係止する。
【００１６】
この電気コネクタは、図６に示すようなシール筒Ｔａ付きの例えば受型の所謂雌端子である接続端子Ｔを、例えば上下２段に６列ずつ計１２個を端子ホルダ２の後方側から内装可能としている。そしてハウジング本体１は、同数の挿入型の所謂雄端子である接続端子を内蔵した相手側電気コネクタのハウジングＨと嵌合して、雌雄の接続端子同士による電気的な接続を行う。
【００１７】
電気コネクタの大きさは、組み立てた状態で、例えば幅２４ｍｍ、高さ１４ｍｍ、長さ２４ｍｍとされており、接続端子の大きさ、個数等に応じて適宜の大きさのものを採用することができる。
【００１８】
ハウジング本体１の中央部に中筒１ａが設けられ、その外側に中筒１ａを大きく囲むように、間隙を設けてハウジング本体１の外筒１ｂが配置され、外筒１ｂの後部は中筒１ａの後方に連結され、中筒１ａと外筒１ｂは一体に成型されている。
【００１９】
中筒１ａの後部は後方に向けて開口され、端子ホルダ２の後方の枠部２ａを保持する筒状のホルダ保持部１ｃとされ、中筒１ａの前端は、外径を稍々小さくした防水部とされている。そして、使用時には中筒１ａと外筒１ｂとの間に、相手側電気コネクタのハウジングＨが挿入される。
【００２０】
中筒１ａの更に前方に、中筒１ａから僅かな間隔をおいて、中筒１ａよりも小径で筒状の端子保持部１ｅが形成されており、端子保持部１ｅは中筒１ａの内側から複数のリブ１ｆにより支持されている。端子保持部１ｅはその内部に接続端子Ｔの前部を保持するためのものであり、前端部は相手側コネクタの接続端子が挿入される部分を残して閉塞されている。
【００２１】
端子ホルダ２には枠部２ａが設けられ、枠部２ａの後端には、接続端子Ｔを個々に挿入するための開孔２ｂが設けられている。端子ホルダ２をハウジング本体１内に挿入してハウジング本体１に対する仮挿入時に、端子ホルダ２の枠部２ａに設けられた仮挿入用係止突起２ｃが嵌入する長溝状の仮挿入用溝部１ｇがホルダ保持部１ｃの両側部に形成されている。また、端子ホルダ２の本挿入時に端子ホルダ２の枠部２ａに設けられた本挿入用係止突起２ｄを受け入れる２個ずつの本挿入用溝部１ｈがホルダ保持部１ｃの上下部に形成されている。
【００２２】
中筒１ａの先端周囲は、防水素材である例えばシリコンゴムにより包囲されている。そして、相手側電気コネクタのハウジングＨと接し、ハウジングＨとの間を防水構造とするシリコンゴムから成り第２のシール部であるシール部１ｉが、中筒１ａの先端外面を一周するように形成されている。このシール部１ｉは中筒１ａに設けた複数個の小孔から成る連通孔１ｊを介して中筒１ａの内面にも接続されている。中筒１ａの内面には、端子ホルダ２と接し、端子ホルダ２との間を防水構造とする第１のシール部であるシール部１ｋが、中筒１ａの内面を一周して形成されており、シール部１ｋ、シール部１ｉ同士は連通孔１ｊにより連通して一体化されている。
【００２３】
シリコンゴムから成るシール部１ｉと、このシール部１ｉと連結しているシール部１ｋとは、硬質の合成樹脂材から成る中筒１ａに対して、その内外両面にそれぞれ２色成型により複数個の連通孔１ｊを介して一体に成型されている。この２色成型により、中筒１ａとシール部１ｉ、１ｋとは強く結合されており、また中筒１ａに設けた連通孔１ｊにより連結されているため、シール部１ｉ、１ｋの一方しか取り付けなかったり、また一方が外れるようなこともない。
【００２４】
更に、中筒１ａの内外両面のそれぞれのシール部１ｉ、１ｋでは、水の浸入を効果的に阻止するために断面は波形状とされている。シール部１ｉ、１ｋの形成はハウジング本体１の射出成型時に、シリコンゴムを二色成型により付設し、更に架橋することが好ましい。
【００２５】
シール部１ｉは相手側電気コネクタのハウジングＨとの間を防水するものなので、電気コネクタ同士の頻繁な着脱に際して、大きく動き易いため、補強のためにシール部１ｋよりも断面が大きくされ、波形状も大きくされている。
【００２６】
ハウジング本体１内に端子ホルダ２が挿入され、電気コネクタが組み立てられると、中筒１ａの内面に設けられたシール部１ｋにより、端子ホルダ２はハウジング本体１つまり中筒１ａの内面との間が防水構造とされる。また、相手側電気コネクタの嵌合時に、相手側電気コネクタのハウジングＨは中筒１ａと外筒１ｂとの間に挿入され、中筒１ａの外面に設けられたシール部１ｉに接してハウジング本体１つまり中筒１ａの外面との間が防水構造とされる。
【００２７】
この電気コネクタは、ハウジング本体１内で中筒１ａの内外両面に連通した２個所のシール部１ｉ、１ｋにより、ハウジング本体１の前方側の相手側電気コネクタのハウジングＨとの連結状態における防水構造と、ハウジング本体１に内在する別体の端子ホルダ２との連結状態における防水構造とが、一体化したシール部材として実現される。
【００２８】
また、中筒１ａの内外両面の２個所のシール部１ｉ、１ｋ同士は、２色成型を用いて、中筒１ａを連通して一体に成形されるので、部品点数も少なくなり、製作も容易となる。従って、従来の個々のシール部材の手作業による取り付けが不要となり、またシール部材の取り付け忘れなどが発生することもない。
【符号の説明】
【００２９】
１  ハウジング本体
１ａ  中筒
１ｂ  外筒
１ｉ、１ｋ  シール部
１ｊ  連通孔
２  端子ホルダ
３  係止板部
４  操作部材
【図１】
2020198264.tif 000003
【図２】
2020198264.tif 000004
【図３】
2020198264.tif 000005
【図４】
2020198264.tif 000006
【図５】
2020198264.tif 000007
【図６】
2020198264.tif 000008
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
中央部に設けた中筒、及び該中筒の外側に該中筒を囲むように間隙を設けて配置された外筒を備えるハウジング本体と、該ハウジング本体の後方から該ハウジング本体内に挿入する端子ホルダとを有し、前記ハウジング本体の前方から相手側電気コネクタを嵌合して接続端子同士による電気的接続を行うと共に、前記中筒の内側に前記端子ホルダが配置され、前記中筒と前記外筒との間に前記相手側電気コネクタのハウジングを挿入する電気コネクタであって、
前記中筒には前記中筒の内外両面を通ずる連通孔が設けられ、該連通孔を介して前記中筒の内外両面に、連通された第１、第２のシール部がそれぞれ形成され、
前記中筒の内面の前記第１のシール部は前記端子ホルダに、外面の前記第２のシール部は前記相手側電気コネクタのハウジングに、それぞれ接して防水構造とすることを特徴とする電気コネクタ。
【請求項２】
前記第、第２のシール部は、それぞれ断面を波形状としたことを特徴とする請求項１に記載の電気コネクタ。
【請求項３】
前記第２のシール部は、前記第１のシール部よりも断面を大としたことを特徴とする請求項２に記載の電気コネクタ。